(57)【特許請求の範囲】
【請求項１】
対向するように設置され且つ両面テープを介して貼り付けられたバックライトモジュールと液晶パネルを含み、前記バックライトモジュールはバックフレーム及び前記バックフレームに設置される光学部材を含み、額縁を備える液晶表示モジュールであって、
少なくとも一部の両面テープは第１類両面テープを採用し、前記第１類両面テープはその長さ方向に沿って延伸する遮光部と光透過部を含み、前記遮光部は前記バックフレームの側壁に貼り付けられ、前記光透過部は前記光学部材に貼り付けられる、
額縁を備える液晶表示モジュール。
【請求項２】
前記第１類両面テープにおける光透過部は光透過性材料によって製造して形成され、その遮光部は黒色材料を塗布することで製造して形成される、
請求項１に記載の額縁を備える液晶表示モジュール。
【請求項３】
前記光学部材は更に光源を含み、前記光源は前記バックフレームの側壁と導光板との間に位置し、光源が設置される側の上方に接着された両面テープは第２類両面テープを採用し、前記第２類両面テープは完全遮光両面テープであり、残る部分の両面テープは前記第１類両面テープを採用する、
請求項２に記載の額縁を備える液晶表示モジュール。
【請求項４】
前記光源はＬＥＤランプである、
請求項３に記載の額縁を備える液晶表示モジュール。
【請求項５】
前記光透過部の幅が前記遮光部の幅より大きい、
請求項１に記載の額縁を備える液晶表示モジュール。
【請求項６】
前記第１類両面テープにおける光透過部は光透過性材料によって製造して形成され、その遮光部は黒色材料を塗布することで製造して形成される、
請求項５に記載の額縁を備える液晶表示モジュール。
【請求項７】
前記光学部材は更に光源を含み、前記光源は前記バックフレームの側壁と導光板との間に位置し、光源が設置される側の上方に接着された両面テープは第２類両面テープを採用し、前記第２類両面テープは完全遮光両面テープであり、残る部分の両面テープは前記第１類両面テープを採用する、
請求項６に記載の額縁を備える液晶表示モジュール。
【請求項８】
前記光源はＬＥＤランプである、
請求項７に記載の額縁を備える液晶表示モジュール。
【請求項９】
前記光学部材は前記バックフレームの基板に順に積層設置された光反射板、導光板及び光学フィルムセットを含み、前記光透過部は前記光学フィルムセットに貼り付けられる、
請求項１に記載の額縁を備える液晶表示モジュール。
【請求項１０】
両面テープは液晶表示モジュールにおける液晶パネルをバックライトモジュールに貼り付けるのに用いられ、前記バックライトモジュールはバックフレーム及び前記バックフレームに設置される光学部材を含み、液晶表示モジュールに用いられる両面テープであって、
前記両面テープはその長さ方向に沿って延伸する遮光部と光透過部を含み、前記遮光部は前記バックフレームの側壁に貼り付けられ、前記光透過部は前記光学部材に貼り付けられる、
液晶表示モジュールに用いられる両面テープ。
【請求項１１】
前記光透過部の幅が前記遮光部の幅より大きい、
請求項１０に記載の液晶表示モジュールに用いられる両面テープ。
【請求項１２】
前記両面テープにおける光透過部は光透過性材料によって製造して形成され、その遮光部は黒色材料を塗布することで製造して形成される、
請求項１１に記載の液晶表示モジュールに用いられる両面テープ。
【発明の詳細な説明】
【技術分野】
【０００１】
本発明は、液晶表示技術分野に関し、特に液晶表示モジュールに用いられる両面テープ及び狭額縁の液晶表示モジュールに関する。
【背景技術】
【０００２】
ネットワークと無線電波通信技術の急速な発展に伴い、情報は徐々に個人にまで普及するため、携帯式の情報製品、例えば、ノートパソコン、携帯電話、デジタルカメラ及び個人用デジタル補助装置などは、いずれも迅速な発展と成長を遂げた。液晶ディスプレイ（Ｌｉｑｕｉｄ Ｃｒｙｓｔａｌ Ｄｉｓｐｌａｙ、略語はＬＣＤである）は、薄型化、軽量化、電力消費量が低く、放射能汚染がなく、半導体工程に適合できるなどの利点を有するため、このネットワークデジタル情報化市場のブームに伴い、製品の応用は更に飛躍的に成長する。競争が益々激しくなるディスプレイ市場において、差別化設計は各メーカーが自らの製品のセールスポイントを向上させる重要な研究方向の１つとなり、従来の製品において、一般的に薄型化又は狭額縁設計を有し、該設計によって比較的美観的な外形を得ることができ、よって消費者の注目を集める。
【０００３】
図１に示すような従来の液晶表示モジュールは、対向するよう設置されたバックライトモジュール１と液晶パネル２を含み、バックライトモジュール１によって表示光源を液晶パネル２に提供することで、液晶パネル２は画像を表示する。バックライトモジュール１はバックフレーム３及びバックフレーム３に設置される光学部材４を含み、バックフレーム３の側壁５と光学部材４との間には更にゴムフレーム６が設置される。バックフレーム３の側壁５には両面テープ７が貼り付けられ、該両面テープ７は光学部材４に延伸し、液晶パネル２は該両面テープ７を介してバックライトモジュール１に貼り付けられる。
【０００４】
両面テープ７は液晶パネル２とバックライトモジュール１を貼り付ける役割を果たすのみならず、また光漏れを防止するのに用いられるため、両面テープ７の色は一般的にいずれも黒色である。現在は狭額縁化の目的を達成するために、バックフレーム３の側壁５を薄肉化する必要があり、更に側壁５と光学部材４との間のゴムフレーム６を除去する必要もあり、この場合に側壁５に位置する両面テープ７の幅は対応的に減少し、両面テープ７が黒色であるため、それも光学部材４に延伸しすぎてはならないため、黒色の両面テープ７の幅が非常に小さくなり、よって狭額縁化の要求を満たす。
【０００５】
両面テープ７の幅が非常に小さくなる場合、以下のような問題をもたらす。１、テープの幅が小さすぎ、切断しにくく、２、テープの幅が小さすぎ、貼付を完了した後に反り又は変位が発生しやすく、３、テープの幅が小さすぎ、液晶パネル２とバックライトモジュール１との間の接着力が十分ではない。
【発明の概要】
【発明が解決しようとする課題】
【０００６】
従来技術における欠点に鑑み、本発明は、狭額縁の液晶表示モジュールを提供し、液晶パネルとバックライトモジュールを貼り付ける両面テープの構造を改良することで、液晶表示モジュールは狭額縁の要求を満たすのみならず、また従来技術における問題を解決する。
【課題を解決するための手段】
【０００７】
上記目的を実現するために、本発明は以下のような技術的解決手段を採用する。
【０００８】
狭額縁の液晶表示モジュールであって、対向するように設置され且つ両面テープを介して貼り付けられたバックライトモジュールと液晶パネルを含み、前記バックライトモジュールはバックフレーム及びバックフレームに設置される光学部材を含み、
【０００９】
少なくとも一部の両面テープは第１類両面テープを採用し、前記第１類両面テープはその長さ方向に沿って延伸する遮光部と光透過部を含み、前記遮光部は前記バックフレームの側壁に貼り付けられ、前記光透過部は前記光学部材に貼り付けられる。
【００１０】
前記光透過部の幅が前記遮光部の幅より大きい。
【００１１】
前記第１類両面テープは光透過性材料によって製造して形成され、その遮光部は黒色材料を塗布することで製造して形成される。
【００１２】
前記光学部材はバックフレームの基板に順に積層設置された光反射板、導光板及び光学フィルムセットを含み、前記光透過部は前記光学フィルムセットに貼り付けられる。
【００１３】
前記光学部材は更に光源を含み、前記光源はバックフレームの側壁と前記導光板との間に位置し、光源が設置される側の上方に接着された両面テープは第２類両面テープを採用し、前記第２類両面テープは完全遮光両面テープであり、残る部分の両面テープは前記第１類両面テープを採用する。
【００１４】
前記光源はＬＥＤランプである。
【００１５】
本発明の別の態様は、液晶表示モジュールに用いられる両面テープを提供することであり、前記両面テープは液晶表示モジュールにおける液晶パネルをバックライトモジュールに貼り付けるのに用いられ、前記バックライトモジュールはバックフレーム及びバックフレームに設置される光学部材を含み、前記両面テープはその長さ方向に沿って延伸する遮光部と光透過部を含み、前記遮光部は前記バックフレームの側壁に貼り付けられ、前記光透過部は前記光学部材に貼り付けられる。
【００１６】
前記光透過部の幅が前記遮光部の幅より大きい。
【００１７】
前記両面テープにおける光透過部は光透過性材料によって製造して形成され、その遮光部は黒色材料を塗布することで製造して形成される。
【発明の効果】
【００１８】
従来技術に比べ、本発明の実施例により提供される狭額縁の液晶表示モジュールにおいて、液晶パネルとバックライトモジュールを貼り付ける両面テープに対し、狭額縁の部分には遮光部と光透過部を有する両面テープを採用し、遮光部はバックフレームの側壁に貼り付けられ、光漏れを回避する役割を果たし、光透過部は光学部材に貼り付けられ、光透過部はバックライトモジュールから射出された光が液晶パネルに到着することにほぼ影響を与えないため、光透過部は光学部材に延伸できる大きな幅を有することで、全体的に両面テープの幅を増加することができ、両面テープの幅が増大することで、テープが切断しやすく、貼付を完了した後に反り又は変位が発生しにくく、液晶パネルとバックライトモジュールとの間に十分な接着力を提供する。
【図面の簡単な説明】
【００１９】
【図１】図１は従来の液晶表示モジュールの構成図である。
【図２】図２は本発明の実施例により提供される狭額縁の液晶表示モジュールの構成図である。
【図３】図３は本発明の実施例におけるバックライトモジュールに両面テープを貼り付けた後の上面図である。
【発明を実施するための形態】
【００２０】
以下、図面及び具体的な実施例に合わせ、本発明の実施例における技術的解決手段を詳細に説明し、当然のことながら、記述された実施例は、本発明の一部の実例に過ぎず、全ての実施例ではない。本発明に係る実施例に基づき、当業者は、創造的な労働を要することなく取得された全ての別の実施例は、いずれも本発明の特許請求の範囲に含まれるべきである。
【００２１】
図２と図３に示すように、本実施例は、狭額縁の液晶表示モジュールを提供し、該液晶表示モジュールは対向するように設置され且つ両面テープを介して貼り付けられたバックライトモジュール１０と液晶パネル２０を含む。
【００２２】
バックライトモジュール１０はバックフレーム１１及びバックフレーム１１に設置される光学部材１２を含む。バックフレーム１１は側壁１１１及び基板１１２を含む。光学部材１２は少なくともバックフレーム１１の基板１１２に順に積層設置された光反射板１２１、導光板１２２及び光学フィルムセット１２３を含み、光学部材１２は更に光源１２４を含み、前記光源１２４はバックフレーム１１の側壁１１１と導光板１２２との間に位置する。
【００２３】
前記光源１２４はＬＥＤランプを採用する。
【００２４】
バックライトモジュール１０と液晶パネル２０を貼り付けるのに用いられる両面テープは第１類両面テープ３０と第２類両面テープ４０を含む。全体のバックライトモジュール１０のエッジにとって、光源１２４が設置される側の上方に接着された両面テープは第２類両面テープ４０を採用し、前記第２類両面テープ４０は完全遮光両面テープであり、第２類両面テープ４０の一端はバックフレーム１１の側壁１１１に貼り付けられ、他端は光源１２４を横断して光学フィルムセット１２３に延伸して貼り付けられ、光学フィルムセット１２３に貼り付けられた部分の幅が小さい。バックライトモジュール１０の他のエッジに接着された両面テープは第１類両面テープ３０を採用し、前記第１類両面テープ３０はその長さ方向に沿って延伸する遮光部３１と光透過部３２を含み、前記遮光部３１は前記バックフレーム１１の側壁１１１に貼り付けられ、前記光透過部３２は前記光学フィルムセット１２３に貼り付けられ、光学フィルムセット１２３に貼り付けられた光透過部３２は遮光部３１に対して更に大きな幅を有する。
【００２５】
更に、前記第１類両面テープ３０における光透過部３２は光透過性材料によって製造して形成され、その遮光部３１は黒色材料を塗布することで製造して形成される。
【００２６】
上記実施例により提供される狭額縁の液晶表示モジュールにおいて、液晶パネルとバックライトモジュールを貼り付けるのに用いられる両面テープに対し、狭額縁の部分（光源が設置される側の額縁の以外の部分）には遮光部と光透過部を有する両面テープを採用し、遮光部はバックフレームの側壁に貼り付けられ、光漏れを回避する役割を果たし、光透過部は光学部材に貼り付けられ、光透過部はバックライトモジュールから射出された光が液晶パネルに到着することにほぼ影響を与えないため、光透過部は光学部材に延伸できる大きな幅を有することで、全体的に両面テープの幅を増加することができ、両面テープの幅が増大することで、テープが切断しやすく、貼付を完了した後に反り又は変位が発生しにくく、液晶パネルとバックライトモジュールとの間に十分な接着力を提供する。
【００２７】
説明すべきことは、本明細書において、例えば、第１と第２などのような関係技術用語は１つの実体又は操作と他の実体又は操作を区別するのみに用いられ、必ずしもこれらの実体又は操作の間にいかなる実際の関係又は順序が存在することを要求又は暗示するわけではない。技術用語「を含有する」、「を含む」又はそのいかなる他の変化した非排他的含有、よって一連の要素の過程、方法、物品又は装置を含みそれらの要素を含むのみならず、また更に明白に挙げていない他の要素を含み、又は更に、このような過程、方法、物品又は装置の特有の要素を含む。別途に制限されない限り、文「１つの……を含み」により限定される要素は、前記要素を含む過程、方法、物品又は装置において更に他の同じ要素が存在することを排除しない。
【００２８】
前記内容は本願の実施形態に過ぎず、指摘すべきことは、当業者にとって、本願原理を逸脱しない限り、更に複数の改善と修飾を行うことができ、これらの改善と修飾は本願の特許請求の範囲に含まれるべきである。
【図１】
0006518787.tif 000002
【図２】
0006518787.tif 000003
【図３】
0006518787.tif 000004